(57)【要約】      （修正有）【課題】配管用エルボカバーの套嵌着作業を熟練を要せずに極めて効率的でバラつきなく強固かつ体裁良く行えるようにしたことを特徴とする配管用エルボカバーを提供する。【解決手段】エルボ部１前面側の扇形取付板２ａの下端部に係合舌片４を形成し、該係合舌片４面の設定寸法間に係合突起５を平行列設し、長方形板片を凸形に形成し該凸部７下面中心に係合突起８を突設したブリッジ状片を別設し、前記ブリッジ状片６ａ、６ｂをエルボ部１後面側の扇形取付板２ｂの下端部３ｂに設定間隔を置き平行に固着し、凸部７下面と下端部３ｂ表面の間に挿通孔を形成して備えた。【選択図】図２
0003159518.tif 000002
【実用新案登録請求の範囲】
【請求項１】
各種配管のエルボ部分に套嵌着して該部分をカバーする海老殻に類似した形状のエルボ部を設け、該エルボ部の前後面の下端縁部にそれぞれ扇形取付板の上端部を一体的に固着して設けたものである配管用エルボカバーにおいて、
エルボ部前面側の扇形取付板の下端部に短冊板状の係合舌片を形成し、該係合舌片表面の設定寸法間に抜き起しプレス加工で複数の係合突起を平行列設し、
一方、長方形板片を凸形に形成し該凸部下面中心に抜き起しプレス加工で前記係合舌片の平行列設係合突起に掛止め係合する係合突起を突設したブリッジ状片を別設し、
前記ブリッジ状片２個をエルボ部後面側の扇形取付板の下端部の表面に設定間隔を置き平行に固着して、それぞれの凸部下面と下端部表面の間に前記係合舌片の挿通孔を形成して設けた配管用エルボカバーであり、
該配管用エルボカバーのエルボ部を配管のエルボ部分の外周に套嵌し、各下端部を管の周囲に巻付け、前記係合舌片を前記両ブリッジ状片の各挿通孔に挿通し締付けて、係合舌片の平行列設係合突起を両ブリッジ状片の各係合突起に２段階に掛止め係合して取り付けるように備えたことを特徴とする、
配管用エルボカバー。
【請求項２】
エルボ部前面側の扇形取付板の下端部から係合舌片にプレス加工で蛇腹状の凹凸を形成したことを特徴とする、
請求項１の配管用エルボカバー。
【請求項３】
エルボ部後面側の扇形取付板の下端部にプレス加工で蛇腹状の凹凸を形成したことを特徴とする、
請求項１の配管用エルボカバー。
【請求項４】
前記係合舌片の裏面の設定寸法間に抜き起しプレス加工で複数の係合突起を平行列設する一方、前記ブリッジ状片２個をエルボ部後面側の扇形取付板の下端部の裏面に設定間隔を置き平行に固着して、それぞれの凸部下面と下端部の裏面の間に前記係合舌片の挿通孔を形成し、
該配管用エルボカバーのエルボ部を配管のエルボ部分の外周に套嵌し、各下端部を管の周囲に巻付け、前記係合舌片を前記両ブリッジ状片の各挿通孔に挿通し締付けて、係合舌片の平行列設係合突起を両ブリッジ状片の各係合突起に２段階に掛止め係合して取り付けるように備えたことを特徴とする、
請求項１の配管用エルボカバー。
【考案の詳細な説明】
【技術分野】
【０００１】本考案は、建築物・構築物等の各種配管、例えば冷暖房、各種プラント設備等の各種配管で、管の周面を断熱材で被覆し該断熱材の周面に板金製の長い筒状のラッキングカバーを嵌着した各種配管において、該配管のエルボ部分（主に直角曲折部のエルボ管継手部分）に套嵌着して該部分をカバーするために用いる板金製の配管用エルボカバーに係り、
該配管用エルボカバーの套嵌着作業を熟練を要せずに極めて効率的でバラつきなく強固かつ体裁良く行えるようにしたことを特徴とする配管用エルボカバーを考案・提供するものである。
【背景技術】
【０００２】従来の板金製の配管用エルボカバーＢは、前記のような各種配管のエルボ部分に套嵌着して該部分を被覆する海老殻に類似した形状のエルボ部１０１を設け、該エルボ部１０１の前後面の端縁部にそれぞれ扇形取付板１０２ａ、１０２ｂの上端部を一体的に固着して設けたものであり、【０００３】各種配管１２の周面を断熱材１３で被覆し、該断熱材１３の周面に板金製の長い筒状のラッキングカバー１４を嵌着した各種配管１２において、配管１２のエルボ部分１５の外周に前記エルボ部１０１を套嵌したのち、該エルボ部分１５の内側で扇形取付板の狭長板状の下端部１０３ａ、１０３ｂを管の周囲に巻付けた状態で両端部を重合し、ペンチ等で折り曲げ締め付けて取付けるものである。（図８、図９参照）【０００４】然るところ、上記従来の配管用エルボカバーは、上記のように、各扇形取付板１０２ａ、１０２ｂの重合した２枚の下端部１０３ａ、１０３ｂをペンチ等で折り曲げ締め付けてエルボ部分１５の両方の管の周囲に強固に密着した状態に取付けるものであるが、その套嵌着作業は建物等の配管状態が種々異なる現場で行うため、かなりの熟練と体力が要求され、よって、作業者の技量によって取付け精度にバラつきが生じる大きな課題があり、特に、熟練作業者の確保が困難な近時において、取付け作業に手数と時間を要して極めて効率が悪い上に、取付け不良のクレームが多発する課題があった。
【先行技術文献】
【特許文献】
【０００５】
【特許文献１】特開２００１−３２４０８６号公報
【考案の概要】
【考案が解決しようとする課題】
【０００６】そこで、本考案は、配管用エルボカバーの、前面側の扇形取付板の下端部に係合突起を平行列設した係合舌片を備える一方、後面側の扇形取付板の下端部にブリッジ状片２個を平行に固着して備え、前記係合舌片を前記ブリッジ状片２個の各挿通孔に挿通し締付けて、係合舌片の平行列設係合突起をそれぞれのブリッジ状片の各係合突起に２段階に掛止めして抜け外れない状態係合し、もって、配管用エルボカバーを熟練不要のワンタッチで均一、強固かつ体裁好く取付けし得るように備えたことを特徴とする、独自構成の配管用エルボカバーを考案・提供することによって、上記従来の課題を有効に解決したものである。
【課題を解決するための手段】
【０００７】本考案の請求項１の考案は、各種配管のエルボ部分に套嵌着して該部分をカバーする海老殻に類似した形状のエルボ部を設け、該エルボ部の前後面の下端縁部にそれぞれ扇形取付板の上端部を一体的に固着して設けたものである配管用エルボカバーにおいて、【０００８】エルボ部前面側の扇形取付板の下端部に短冊板状の係合舌片を形成し、該係合舌片表面の設定寸法間に抜き起しプレス加工で複数の係合突起を平行列設し、【０００９】一方、長方形板片を凸形に形成し該凸部下面中心に抜き起しプレス加工で前記係合舌片の平行列設係合突起に掛止め係合する係合突起を突設したブリッジ状片を別設し、【００１０】前記ブリッジ状片２個をエルボ部後面側の扇形取付板の下端部の表面に設定間隔を置き平行に固着して、それぞれの凸部下面と下端部表面の間に前記係合舌片の挿通孔を形成して設けた配管用エルボカバーであり、【００１１】該配管用エルボカバーのエルボ部を配管のエルボ部分の外周に套嵌し、各下端部を管の周囲に巻付け、前記係合舌片を前記両ブリッジ状片の各挿通孔に挿通し締付けて、係合舌片の平行列設係合突起を両ブリッジ状片の各係合突起に２段階に掛止め係合して取り付けるように備えたことを特徴とする、配管用エルボカバーによって課題を解決したものである。【００１２】請求項２の考案は、前記のエルボ部前面側の扇形取付板の下端部から係合舌片にプレス加工で蛇腹状の凹凸を形成して、下端部から係合舌片を管の周囲に良く馴染んで曲成し易くしたことを特徴とする、請求項１の配管用エルボカバーによって課題を解決したものである。【００１３】請求項３の考案は、エルボ部後面側の扇形取付板の下端部にプレス加工で蛇腹状の凹凸を形成して、下端部を管の周囲に良く馴染んで曲成し易くしたことを特徴とする、請求項１の配管用エルボカバーによって課題を解決したものである。【００１４】請求項４の考案は、請求項１の考案の、前記係合舌片の表面ではなく裏面の設定寸法間に抜き起しプレス加工で複数の係合突起を平行列設する一方、前記ブリッジ状片２個を扇形取付板の下端部の表面ではなく、エルボ部後面側の扇形取付板の下端部の裏面に設定間隔を置き平行に固着して、それぞれの凸部下面と下端部の裏面の間に前記係合舌片の挿通孔を形成したものであり、該配管用エルボカバーのエルボ部を配管のエルボ部分の外周に套嵌し、各下端部を管の周囲に巻付け、前記係合舌片を前記両ブリッジ状片の各挿通孔に挿通し締付けて、係合舌片の平行列設係合突起を下端部裏面の両ブリッジ状片の各係合突起に２段階に掛止め係合して取り付けるように備えたことを特徴とする、請求項１の配管用エルボカバーによって課題を解決したものである。
【考案による効果】
【００１５】前面側の扇形取付板の下端部に係合突起を平行列設した係合舌片を備える一方、後面側の扇形取付板の下端部にブリッジ状片２個を平行に固着して備え、係合舌片を前記ブリッジ状片２個の各挿通孔に挿通し締付けして、係合舌片の平行列設係合突起をそれぞれのブリッジ状片の各係合突起に２段階に掛止めして抜け外れない状態に係合するようにしたので、配管状態が種々異なる現場での套嵌着作業を作業者の熟練を要せずに、ワンタッチでバラつきなく均一に、また強固かつ体裁好く取付けし得て、配管用エルボカバーの套嵌着作業効率を革期的に向上し得る優れた特徴がある。
【００１６】各種配管の配管用エルボカバーをエルボ部分に套嵌し、前面側の扇形取付板の係合舌片を後面側の扇形取付板のブリッジ状片２個の各挿通孔に挿通して、該係合舌片を管の周面に強く密着するまで締付けると、その時点でブリッジ状片２個の各挿通孔の係合突起に相対した平行列設係合突起がそれぞれ係合するため、抜け外れしない２段階に掛止め係合することができ、よって、配管用エルボカバーを極めて強固かつ安定的に套嵌着し得る優れた効果がある。
【００１７】配管用エルボカバーの前面側の扇形取付板の係合舌片と後面側の扇形取付板の下端部にそれぞれ蛇腹状の凹凸を形成したので、それぞれの曲成自在性を格段に向上することができ、よって、各種配管の周面に良く馴染み密着して強固かつ安定的に套嵌着し得る優れた効果がある。
【００１８】前記のように、係合突起を係合舌片の表面ではなく裏面に平行列設する一方、前記ブリッジ状片２個を扇形取付板の下端部の表面ではなくエルボ部後面側の扇形取付板の下端部の裏面に固着して備えた場合、各種配管のエルボ部分に套嵌着した状態で、ブリッジ状片２個及び係合舌片の先端が表面側に露出・突出しないため、外観体裁が良いと共に表面側が平になって邪魔にならない特徴がある。
【図面の簡単な説明】
【００１９】
【図１】図１は本考案実施例配管用エルボカバーの前面図である。（実施例１）
【図２】図２は図１の後面図である。（実施例１）
【図３】図３は図１の右側面図である。（実施例１）
【図４】図４は図１の前面側の扇形取付板の下端部の係合舌片の部分を拡大した正面図、平面図、右側面図、及び、Ｘ線断面一部拡大矢視図である。（実施例１）
【図５】図５は図１の後面側の扇形取付板の下端部を拡大した正面図、平面図、右側面図、及び、Ｙ線断面一部拡大矢視図である。（実施例１）
【図６】図６は図１の本考案実施例エルボカバーを配管のエルボ部分に套嵌着した状態の一部切断正面図である。（実施例１）
【図７】図７は図６のＺ線断面一部拡大図である。（実施例１）
【図８】図８は従来例配管用エルボカバーの前面図である。なお、後面図は前面図と対称である。（従来例）
【図９】図９は図８の右側面図である。（従来例）
【図１０】図１０は従来例配管用エルボカバーの扇形取付板の両下端部を重合しペンチ等で折り曲げ締め付けて取付ける説明断面図である。（従来例）
【考案を実施するための形態】
【００２０】エルボ部の前後面に扇形取付板を固着して設けた配管用エルボカバーであり、エルボ部前面側の扇形取付板の下端部に短冊板状の係合舌片を形成し、該係合舌片面の設定寸法間に抜き起しプレス加工で複数の係合突起を平行列設し、一方、長方形板片を凸形に形成し該凸部下面中心に抜き起しプレス加工で前記係合舌片の平行列設係合突起に掛止め係合する係合突起を突設したブリッジ状片を別設し、前記ブリッジ状片２個を扇形取付板の下端部面に設定間隔を置き平行に固着して、それぞれの凸部下面と下端部面の間に前記係合舌片の挿通孔を形成して設けた配管用エルボカバーである。
【実施例１】
【００２１】図１は本考案実施例配管用エルボカバーの前面図、図２は図１の後面図、図３は図１の右側面図、図４は図１の前面側の扇形取付板の下端部の係合舌片の部分を拡大した正面図、平面図、右側面図、及び、Ｘ線断面一部拡大矢視図、図５は図１の後面側の扇形取付板の下端部を拡大した正面図、平面図、右側面図、及び、Ｙ線断面一部拡大矢視図、図６は図１の本考案実施例エルボカバーを配管のエルボ部分に套嵌着した状態の一部切断正面図、図７は図６のＺ線断面一部拡大図である。【００２２】Ａは本考案実施例エルボカバー、１はエルボ部、２ａは扇形取付板（前面側）、２ｂは扇形取付板（後面側）、３ａは下端部（前面側扇形取付板）、３ｂは下端部（後面側扇形取付板）、４は係合舌片、５は平行列設した係合突起（係合舌片）、６ａはブリッジ状片、６ｂはブリッジ状片、７は凸部、８は係合突起（ブリッジ状片）、９は挿通孔、１０は蛇腹状の凹凸（前面側扇形取付板）、１１は蛇腹状の凹凸（後面側扇形取付板）１２は各種配管、配管、管、１３は断熱材、１４はラッキングカバー、１５はエルボ部分、１６は蛇腹状の凹凸（両扇形取付板の扇面部）である。【００２３】本考案配管用エルボカバーＡは、各種配管１２のエルボ部分１５に套嵌着して該部分をカバーする海老殻に類似した形状のエルボ部１を設け、該エルボ部１の前後面の下端縁部にそれぞれ扇形取付板２ａ、２ｂの上端部を一体的に固着して設けたものである配管用エルボカバーにおいて、【００２４】エルボ部１前面側の扇形取付板２ａの下端部に短冊板状の係合舌片４を形成し、該係合舌片４表面の設定寸法間に抜き起しプレス加工で複数の係合突起５を平行列設し、【００２５】一方、長方形板片を凸形に形成し該凸部７下面中心に抜き起しプレス加工で前記係合舌片４の平行列設係合突起５に掛止め係合する係合突起８を突設したブリッジ状片６を別設し、【００２６】前記ブリッジ状片６ａ、６ｂをエルボ部１後面側の扇形取付板２ｂの下端部３ｂの表面に設定間隔を置き平行に固着して、それぞれの凸部７下面と下端部３ｂ表面の間に前記係合舌片４の挿通孔９を形成して設けた配管用エルボカバーＡであり、【００２７】該配管用エルボカバーＡのエルボ部１を配管１２のエルボ部分１５の外周に套嵌し、各下端部３ａ、３ｂを管１２の周囲に巻付け、前記係合舌片４を前記両ブリッジ状片６ａ、６ｂの各挿通孔９、９に挿通し締付けて、係合舌片４の平行列設係合突起５、５を両ブリッジ状片６ａ、６ｂの各係合突起８、８に２段階に掛止め係合して取り付けるように備えたものである。【００２８】上記の本考案配管用エルボカバーＡにおいて、前記のエルボ部１前面側の扇形取付板２ａの下端部３ａから係合舌片４にプレス加工で蛇腹状の凹凸１０を形成して、下端部３ａから係合舌片４を管１２の周囲に良く馴染んで曲成し易くしたものである。【００２９】また、エルボ部１後面側の扇形取付板２ｂの下端部３ｂにプレス加工で蛇腹状の凹凸１１を形成して、下端部３ｂを管１２の周囲に良く馴染んで曲成し易くしたものである。【００３０】他の実施例は、上記のように、
前記係合舌片の表面ではなく裏面の設定寸法間に抜き起しプレス加工で複数の係合突起を平行列設する一方、前記ブリッジ状片２個６ａ、６ｂをエルボ部１後面側の扇形取付板２ｂの下端部３ｂの表面に固着するのではなく、扇形取付板２ｂの下端部３ｂの裏面に設定間隔を置き平行に固着して、それぞれの凸部７下面と下端部３ｂ裏面の間に前記係合舌片４の挿通孔９、９を形成したものであり、該配管用エルボカバーＡのエルボ部１を配管１２のエルボ部分１５の外周に套嵌し、各下端部３ａ、３ｂを管１２の周囲に巻付け、前記係合舌片４を前記両ブリッジ状片６ａ、６ｂの各挿通孔９、９に挿通し締付けて、係合舌片４の平行列設係合突起５、５を下端部３ｂ裏面の両ブリッジ状片６ａ、６ｂの各係合突起８、８に２段階に掛止め係合して取り付けるように備えたものである。【００３１】なお、図１、２、６に示すように、前記の前面側の扇形取付板２ａの係合舌片４と後面側の扇形取付板２ｂの下端部３ａ、３ｂに形成したものと同様の蛇腹状の凹凸１６を、両面の扇形取付板２ａ、２ｂにも形成し、それぞれの部分の曲成自在性を格段に向上し、もって、各種配管１２の周面に良く馴染み密着して強固かつ安定的に套嵌着するように備えたものである。
【産業上の利用可能性】
【００３２】本考案は、主として建築物・構築物等の各種配管で、管の周面を断熱材で被覆し該断熱材の周面に板金製の長い筒状のラッキングカバーを嵌着した各種配管のエルボ部分（エルボ管継手部分）に套嵌着して用いる配管用エルボカバーであり、各種配管、断熱材、ラッキングカバー等の、径の大小、寸法の長短、素材の種類等を問わず汎用し得るものである。
【符号の説明】
【００３３】Ａ    本考案実施例エルボカバー
１    エルボ部
２ａ  扇形取付板（前面側）
２ｂ  扇形取付板（後面側）
３ａ  下端部（前面側扇形取付板）
３ｂ  下端部（後面側扇形取付板）
４    係合舌片
５    平行列設した係合突起（係合舌片）
６ａ  ブリッジ状片
６ｂ  ブリッジ状片
７    凸部
８    係合突起（ブリッジ状片）
９    挿通孔
１０  蛇腹状の凹凸（前面側扇形取付板）
１１  蛇腹状の凹凸（後面側扇形取付板）
１２  各種配管、配管、管
１３  断熱材
１４  ラッキングカバー
１５  エルボ部分
１６  蛇腹状の凹凸（両扇形取付板の扇面部）
Ｂ        従来のエルボカバー
１０１    エルボ部
１０２ａ  扇形取付板（前面側）
１０２ｂ  扇形取付板（後面側）
１０３ａ  下端部（前面側扇形取付板）
１０３ｂ  下端部（後面側扇形取付板）
【図１】
0003159518.tif 000003
【図２】
0003159518.tif 000004
【図３】
0003159518.tif 000005
【図４】
0003159518.tif 000006
【図５】
0003159518.tif 000007
【図６】
0003159518.tif 000008
【図７】
0003159518.tif 000009
【図８】
0003159518.tif 000010
【図９】
0003159518.tif 000011
【図１０】
0003159518.tif 000012